【手続補正書】
【提出日】平成26年3月10日(2014.3.10)
【手続補正１】
【補正対象書類名】明細書
【補正対象項目名】発明の名称
【補正方法】変更
【補正の内容】
【発明の名称】画像処理装置、その制御方法、プログラム及び記憶媒体
【手続補正２】
【補正対象書類名】明細書
【補正対象項目名】０００１
【補正方法】変更
【補正の内容】
【０００１】
本発明は、画像処理装置、その制御方法、プログラム及び記憶媒体に関し、特に、画像処理装置のスリープモード制御に関する。
【手続補正３】
【補正対象書類名】明細書
【補正対象項目名】００１１
【補正方法】変更
【補正の内容】
【００１１】
従って、本発明の目的は、スリープモードからスタンバイモードに復帰した際、復帰要因が不明であっても消費電力の増加を防止して、しかもスタンバイモードにおいて正常な動作を行うことのできる画像処理装置、その制御方法、プログラム及び記憶媒体を提供することにある。
【手続補正４】
【補正対象書類名】明細書
【補正対象項目名】００１２
【補正方法】変更
【補正の内容】
【００１２】
上記の目的を達成するため、本発明に係る画像処理装置は、第１の電力モードと該第１の電力モードよりも消費電力が少ない第２の電力モードとを備える画像処理装置であって、前記画像処理装置の仕向け設定を記憶する記憶手段と、前記第２の電力モードにおいて移行要因が検知されると、前記画像処理装置を前記第２の電力モードから前記第１の電力モードに移行させる移行手段と、前記画像処理装置を前記第１の電力モードから前記第２の電力モードに再移行するための再移行時間を前記仕向け設定に応じて設定する設定手段と、前記第１の電力モードにおいて、前記再移行時間内に所定のイベントが発生しない場合に前記画像処理装置を前記第１の電力モードから前記第２の電力モードに再移行する再移行手段と、を有することを特徴とする。
【手続補正５】
【補正対象書類名】明細書
【補正対象項目名】００１３
【補正方法】変更
【補正の内容】
【００１３】
本発明に係る画像処理装置の制御方法は、第１の電力モードと該第１の電力モードよりも消費電力が少ない第２の電力モードとを備える画像処理装置の制御方法であって、前記画像処理装置の仕向け設定を記憶する記憶ステップと、前記第２の電力モードにおいて移行要因が検知されると、前記画像処理装置を前記第２の電力モードから前記第１の電力モードに移行させる移行ステップと、前記画像処理装置を前記第１の電力モードから前記第２の電力モードに再移行するための再移行時間を前記仕向け設定に応じて設定する設定ステップと、前記第１の電力モードにおいて、前記再移行時間内に所定のイベントが発生しない場合に前記画像処理装置を前記第１の電力モードから前記第２の電力モードに再移行させる再移行ステップと、を有することを特徴とする。
【手続補正６】
【補正対象書類名】明細書
【補正対象項目名】００１４
【補正方法】変更
【補正の内容】
【００１４】
本発明に係るプログラムは、第１の電力モードと該第１の電力モードよりも消費電力が少ない第２の電力モードとを備える画像処理装置の制御方法をコンピュータに実行させるためのプログラムであって、前記画像処理装置の制御方法は、前記画像処理装置の仕向け設定を記憶する記憶ステップと、前記第２の電力モードにおいて移行要因が検知されると、前記画像処理装置を前記第２の電力モードから前記第１の電力モードに移行させる移行ステップと、前記画像処理装置を前記第１の電力モードから前記第２の電力モードに再移行するための再移行時間を前記仕向け設定に応じて設定する設定ステップと、前記第１の電力モードにおいて、前記再移行時間内に所定のイベントが発生しない場合に前記画像処理装置を前記第１の電力モードから前記第２の電力モードに再移行させる再移行ステップと、を有することを特徴とする。
【手続補正７】
【補正対象書類名】特許請求の範囲
【補正対象項目名】全文
【補正方法】変更
【補正の内容】
【特許請求の範囲】
【請求項１】
第１の電力モードと該第１の電力モードよりも消費電力が少ない第２の電力モードとを備える画像処理装置であって、
前記画像処理装置の仕向け設定を記憶する記憶手段と、
前記第２の電力モードにおいて移行要因が検知されると、前記画像処理装置を前記第２の電力モードから前記第１の電力モードに移行させる移行手段と、
前記画像処理装置を前記第１の電力モードから前記第２の電力モードに再移行するための再移行時間を前記仕向け設定に応じて設定する設定手段と、
前記第１の電力モードにおいて、前記再移行時間内に所定のイベントが発生しない場合に前記画像処理装置を前記第１の電力モードから前記第２の電力モードに再移行する再移行手段と、を有することを特徴とする画像処理装置。
【請求項２】
ユーザが前記再移行時間の設定を行うためのユーザ設定手段をさらに有することを特徴とする請求項１記載の画像処理装置。
【請求項３】
前記移行要因は、オンおよびオフを繰り返すパルス信号であり、
前記パルス信号のオンおよびオフの周期に応じて複数の前記再移行時間が規定されており、
前記設定手段は前記周期よりも長い前記再移行時間を選択することを特徴とする請求項１記載の画像処理装置。
【請求項４】
前記パルス信号は電話回線を介して着信する呼び出し信号であることを特徴とする請求項３記載の画像処理装置。
【請求項５】
前記移行要因が発生する都度、前記パルス信号の周期をパターン履歴として得る履歴取得手段をさらに有し、
前記設定手段は前記パターン履歴に応じて前記再移行時間を設定することを特徴とする請求項３記載の画像処理装置。
【請求項６】
前記履歴取得手段は、前記パルス信号の各々についてそのオフ時間を計測して、所定数の前記オフ時間の平均値と標準偏差とを求め、前記平均値に所定時間を加算して得られた時間を前記再移行時間として設定することを特徴とする請求項５記載の画像処理装置。
【請求項７】
第１の電力モードと該第１の電力モードよりも消費電力が少ない第２の電力モードとを備える画像処理装置の制御方法であって、
前記画像処理装置の仕向け設定を記憶する記憶ステップと、
前記第２の電力モードにおいて移行要因が検知されると、前記画像処理装置を前記第２の電力モードから前記第１の電力モードに移行させる移行ステップと、
前記画像処理装置を前記第１の電力モードから前記第２の電力モードに再移行するための再移行時間を前記仕向け設定に応じて設定する設定ステップと、
前記第１の電力モードにおいて、前記再移行時間内に所定のイベントが発生しない場合に前記画像処理装置を前記第１の電力モードから前記第２の電力モードに再移行させる再移行ステップと、を有することを特徴とする画像処理装置の制御方法。
【請求項８】
第１の電力モードと該第１の電力モードよりも消費電力が少ない第２の電力モードとを備える画像処理装置の制御方法をコンピュータに実行させるためのプログラムであって、
前記画像処理装置の制御方法は、
前記画像処理装置の仕向け設定を記憶する記憶ステップと、
前記第２の電力モードにおいて移行要因が検知されると、前記画像処理装置を前記第２の電力モードから前記第１の電力モードに移行させる移行ステップと、
前記画像処理装置を前記第１の電力モードから前記第２の電力モードに再移行するための再移行時間を前記仕向け設定に応じて設定する設定ステップと、
前記第１の電力モードにおいて、前記再移行時間内に所定のイベントが発生しない場合に前記画像処理装置を前記第１の電力モードから前記第２の電力モードに再移行させる再移行ステップと、を有することを特徴とするプログラム。
【請求項９】
請求項８記載のプラグラムを格納することを特徴とするコンピュータで読み取り可能な記憶媒体。